【事件の表示】
　平成　８年特許願第２７２５５３号「電源供給制御装置」拒絶査定に対する審判事件［平成１０年５月１５日出願公開、特開平１０−１２４１９２］について、次のとおり審決する。
【結　論】
　本件審判の請求は、成り立たない。
【理　由】
１．手続の経緯、本願発明
　本願は、平成８年１０月１５日の出願であって、本願は、その請求項１〜４に係る発明は、平成１０年８月１７日付け手続補正書によって補正された明細書及び図面の記載からみて、本願の特許請求の範囲の請求項１〜４に記載された次のとおりのものと認める。
　（なお、平成１０年１１月２６日付け手続補正による補正は、本審決と同日付けで却下された。）
　「【請求項１】
　情報処理装置からの動作制御信号によって電源供給回路から電源供給を受ける複数の被電源供給制御部品を備え、
　これら被電源供給制御部品に対する電源の供給・供給停止を制御する電源供給制御回路を前記電源供給回路に接続し、
　この電源供給制御回路に、前記各被電源供給制御部品に対する電源の供給・供給停止を前記情報処理装置からの動作制御信号の検出によって判定する判定回路を接続し、
　この判定回路に対して前記情報処理装置からの動作開始信号と動作終了信号を出力するインタフェース制御回路を有し、
　このインタフェース制御回路が、動作開始時に、前記電源供給回路から電源供給を受けて前記情報処理装置に対する前記被電源供給制御部品からの信号送出を開始し、動作終了時には、前記電源供給回路からの電源供給が停止する前に前記情報処理装置に対する前記被電源供給制御部品からの信号送出を終了する
　ことを特徴とする電源供給制御装置。
　【請求項２】
　前記被電源供給制御部品にＣＣＤカメラが含まれていることを特徴とする請求項１記載の電源供給制御装置。
　【請求項３】
　前記インタフェース制御回路が、前記情報処理装置に対しデータ信号を並列して送受する回路であることを特徴とする請求項１または２記載の電源供給制御装置。
　【請求項４】
　前記インタフェース制御回路が、前記情報処理装置に対しデータ信号を直列して送受する回路であることを特徴とする請求項１または２記載の電源供給制御装置。」
　
２．引用された刊行物の発明
　原査定の拒絶の理由に引用された「実願昭６２−１９５７９９号（実開平１−１０２９５６号公報）のマイクロフィルム」（以下、「引用例」という）には、以下のようなことが記載されている。
　「バーコードリーダにおいて、第１図に機能ブロックで示すように、ホストコンピュータのスキヤナ制御手段Ａから送信されるスキヤナＯＮ／ＯＦＦコマンドを受信してスキヤナ部への電源供給の制御を指示するスキヤナ電源制御指示手段Ｂをデコーダ部に設けると共に、このスキヤナ電源制御指示手段Ｂからの指示によりスキヤナ部への電源を制御するスキヤナ電源手段Ｃを備えたものである。」（第３頁第６〜１４行目）、
　「この情報処理システムは、バーコードを読み取るスキヤナ部１とその読み取った信号をデコードするデコーダ部からなるバーコードリーダ３と、そのデータを入力して処理するホストとしてのハンドヘルドコンピュータ（ＨＨＣ）２０とによって構成されている。」（第３頁第２０行目〜第４頁第５行目）、
　「このバーコードリーダ３は、スキヤナ部１と、デコーダ部２と、電源コントロール部１１とによって構成され、デコーダ部２は、スキヤナ部１からの読取信号を入力するＩ／Ｏポート４と、それをデコードしたデータをハンドヘルドコンピュータ２０に転送するＩ／Ｏポート９と、ＣＰＵ、タイマ６、ＲＡＭ７、ＲＯＭ８、Ｉ／Ｏポート１０を備えている。
　また、電源はハンドヘルドコンピュータ２０からデコーダ部２に直接供給されると共に、スキヤナ電源コントロール部１１を介してスキヤナ部１にも供給される。」（第４頁第８〜１９行目）、
　「デコーダ部２におけるＣＰＵ５は、このデコーダ部２の各部を制御する。」（第５頁第３〜４行目）、
　「Ｉ／Ｏポート９は、バーコードデータをホスト（ＨＨＣ）へ出力すると共に、ホスト（ＨＨＣ）からのコマンドを受信する。
　Ｉ／Ｏポート１０は、第１図のスキヤナ電源制御指示手段Ｂの機能も果たすＣＰＵ５からの指示手段をスキヤナ電源コントロール部１１へ出力する。」（第５頁第８〜１３行目）、
　「第４図のフローチャートによりホストのハンドヘルドコンピュータ（ＨＨＣ）２０側の処理について説明する。
　まず、スキヤナＯＮコマンドをバーコードリーダ３に送信する。次に、バーコードリーダ３からバーコードデータを受信する。
　そして、バーコードの受信が終わると、スキヤナＯＦＦコマンドをバーコードリーダ３に送信する。そして受信したバーコードリーダの処理（ファイルのリード／ライト等）を行いながらスタートに戻る。
　次に、第５図のフローチャートによりバーコードリーダ３側の処理について説明する。
　まず、ＨＨＣ２０から送信されるスキヤナＯＮ／ＯＦＦコマンドを受信したか否かの判断をする。スキヤナＯＮコマンドを受信していれば、スキヤナ部への電源供給をＯＮする。そしてスタートに戻る。
　また、スキヤナＯＦＦのコマンドの受信であれば、スキヤナ部への電源供給をＯＦＦにする。そしてスタートに戻る。
　スキヤナＯＮ／ＯＦＦコマンドを受信していなければ、バーコードデータデコードをＨＨＣ２０に送信する。そしてスタートに戻り、ＨＨＣ２０からのスキヤナＯＮ／ＯＦＦコマンドを待つ。」（第６頁第１行目〜第７頁第５行目）。
　そうすると引用例には以下の発明が記載されている。
　「ホストからのスキヤナＯＮ／ＯＦＦコマンドによって電源から電源供給を受けるスキヤナ部と、
　スキヤナ部に対する電源の供給・供給停止を制御するスキヤナ電源コントロール部を電源に接続し、
　この電源にスキヤナ部に対する電源の供給・供給停止をホストからのスキヤナＯＮ／ＯＦＦの信号を検出によって判定するデコーダ部のＣＰＵを接続し、
　このデコーダ部のＣＰＵに対してホストからのスキヤナＯＮ／ＯＦＦの信号を出力するデコーダ部のＩ／Ｏポートを有し、
　このＩ／Ｏポートが、スキヤナＯＮコマンド受けての動作開始時に、電源から電源供給を受けてホストに対するスキヤナ部からの信号送出を開始させてデコーダ部でこの信号をデコードしてホストに転送し、デコーダされた信号の受信が終わるとスキヤナＯＦＦコマンド受けての動作終了時には、電源からの電源供給が停止する前にホストに対するスキヤナ部からの信号の転送を終了する
　ことを特徴としたバーコードリーダの電源供給制御回路。」
　
３．対比
　ここで平成１０年８月１７日付手続補正の請求項１の発明（以下、「本願発明」という）と引用例の発明とを対比する。
　引用例の発明の「ホスト」、「電源」、「スキヤナ部」、「スキヤナ電源コントロール部」、「スキヤナＯＮ／ＯＦＦコマンド」、「デコーダ部のＣＰＵ」、「動作開始信号」、「動作終了信号」、「Ｉ／Ｏポート」は、それぞれ、本願発明の「情報処理装置」、「電源供給回路」、「被電源供給制御部品」、「電源供給制御回路」、「動作制御信号」、「判定回路」、「スキヤナＯＮコマンド」、「スキヤナコマンドＯＦＦコマンド」、「インターフェース制御回路」に相当し、両者とも情報処理装置に、データを取り込む装置の電源供給・供給停止に関する電源供給制御装置である点で一致している。また引用例の発明では、デコードされた信号を受信してからスキヤナＯＦＦコマンドを送信しており、動作終了時には、電源供給回路からの電源供給が停止する前に情報処理装置に対する被電源供給制御部品からの信号の転送を終了しているものである。
　そうすると、本願発明と引用例の発明とは、
　「情報処理装置からの動作制御信号によって電源供給回路から電源供給を受ける被電源供給制御部品を備え、
　被電源供給制御部品に対する電源の供給・供給停止を制御する電源供給制御回路を前記電源供給回路に接続し、
　この電源供給制御回路に、前記各被電源供給制御部品に対する電源の供給・供給停止を前記情報処理装置からの動作制御信号の検出によって判定する判定回路を接続し、
　この判定回路に対して前記情報処理装置からの動作開始信号と動作終了信号を出力するインタフェース制御回路を有し、
　このインタフェース制御回路が、動作開始時に、前記電源供給回路から電源供給を受けて前記情報処理装置に対する前記被電源供給制御部品からの信号送出を開始させてこの信号を前記情報処理装置に転送し、動作終了時には、前記電源供給回路からの電源供給が停止する前に前記情報処理装置に対する前記被電源供給制御部品からの信号の転送を終了する
　ことを特徴とする電源供給制御装置。」
で一致し、以下の点で相違している。
　相違点：電源供給を受ける対象が、本願発明が「複数の被電源供給制御部品」であるのに対し、引用例の発明が「スキヤナ部」のみである点。
　
４．判断
　一つの装置、本願発明の場合データを取り込む装置、は複数の部品から構成されるのはふつうのことであり、一つの装置が駆動されるためには、一つの装置を構成する部品にも電源が供給されて駆動されなくてはならないことは自明である。
　仮に、「被電源供給制御部品」が、複数の装置であったとしても、情報処理装置が信号を入力させるために該複数の装置の駆動を必要としているのであれば、それらの装置に電源供給の制御を行わせるようにすることは、当業者が適宜なし得ることと認められる。
　
５．むすび
  以上のとおりであるから、本願発明は、引用例に記載された発明に基づいて当業者が容易に発明をすることができたものであり、特許法第２９条第２項の規定により特許を受けることができないものである。
　よって、結論のとおり審決する。